(57)【要約】      （修正有）【課題】取手部の形状制約を低減しながら取手部の結露を抑制することができる冷蔵庫を提供する。【解決手段】冷蔵庫は、小貯蔵室と、引出し容器１２と、吹出し口８と、を備える。前記小貯蔵室は、庫内の貯蔵室２０の中の一部に区画形成されている。前記引出し容器は、前記小貯蔵室内に格納されている。前記吹出し口は、前記庫内に向けて冷気を吹き出すように構成されている。前記引出し容器は、前記小貯蔵室の前方部分に配置される前壁部１２ｂ、及び前記前壁部に付設された取手部１２ｅを備える。前記前壁部及び前記取手部は、凹所１２ｈを画定する。前記前壁部には、前記凹所と前記小貯蔵室とを連通させる通気孔１２ｉが設けられており、前記吹出し口から吹き出された冷気の一部が前記通気孔を通り抜ける。【選択図】図２
2020034238.tif 000002
【特許請求の範囲】
【請求項１】
庫内の貯蔵室の中の一部に区画形成された小貯蔵室と、
前記小貯蔵室内に格納された引出し容器と、
前記庫内に向けて冷気を吹き出すように構成された吹出し口と、
を備え、
前記引出し容器が、取手部を備え、前記取手部が凹所の少なくとも一部を画定しており、
前記引出し容器には前記凹所と前記小貯蔵室とを連通させる通気孔が設けられ、前記吹出し口から吹き出された冷気の一部が前記通気孔を通り抜けるようになっている冷蔵庫。
【請求項２】
前記凹所が、下方側に開口するとともに、天井面を有し、
前記通気孔が、前記凹所の天井面と隣接する位置に配設されている請求項１に記載の冷蔵庫。
【請求項３】
前記凹所が、下方側に開口するとともに、天井面を有し、
前記通気孔が、前記凹所のなかで前記天井面側の領域に前記冷気の少なくとも一部が流れるように構成されている請求項１に記載の冷蔵庫。
【請求項４】
前記引出し容器には前記通気孔が複数設けられ、複数の前記通気孔が、前記引出し容器の幅方向に並設されている請求項１から３の何れか一項に記載の冷蔵庫。
【請求項５】
前記取手部が、前記凹所の前方側を画定する垂下壁部を備え、該垂下壁部の下端の鉛直方向位置が、前記引出し容器の底壁部の下面の鉛直方向位置と一致しているか、又は前記底壁部の下面の鉛直方向位置よりも下方である請求項１から４の何れか一項に記載の冷蔵庫。
【請求項６】
前記吹出し口は、前記小貯蔵室内に向けて冷気を吹き出すように構成された第１の吹出し口と、前記小貯蔵室の下方の前記貯蔵室の空間内に向けて冷気を吹き出すように構成された第２の吹出し口と、を含み、
前記貯蔵室の上部には、前記小貯蔵室の外に位置して前記貯蔵室内の前記冷気を吸い込むように構成された吸込み口が配設されており、
前記貯蔵室内では、前記第２の吹出し口から吹き出された前記冷気が前記吸込み口に吸い込まれることで冷気の主流が形成され、
前記第１の吹出し口から吹き出された前記冷気の一部が、前記通気孔から前記凹所を通って前記主流に吸い込まれて合流する請求項１から５の何れか一項に記載の冷蔵庫。
【請求項７】
前記貯蔵室内には、前記小貯蔵室の下方に配置された棚板が設けられており、
前記棚板の前端の前後方向位置が、前記通気孔の前後方向位置よりも前方側である請求項１から６の何れか一項に記載の冷蔵庫。
【請求項８】
前記引出し容器が、前記小貯蔵室の前方部分に配置される前壁部を備え、
前記前壁部には、前記通気孔が設けられ、
前記前壁部が、該前壁部の下端から上方に向かって前方に傾斜している請求項１から７の何れか一項に記載の冷蔵庫。
【発明の詳細な説明】
【技術分野】
【０００１】
本発明の実施形態は、冷蔵庫に関する。
【背景技術】
【０００２】
従来、貯蔵室内に例えばチルド室などの小貯蔵室が設けられ、この小貯蔵室内に引出し容器が格納された冷蔵庫が知られている。このような従来の冷蔵庫では、引出し容器の取手部の内側面に結露が生じるとその取手部に手を掛けた使用者に不快感を与えることになるため、取手部の内側面に結露が生じないようにすることが好ましい。取手部の内側面の結露は、取手部が凹所を形成するような形状になっている場合に、その凹所に冷気が籠ることによって生じやすくなる。このため、取手部をその内側に冷気が籠りにくい形状になるように、取手部の勾配角度を調整したり高さや奥行きを調整したりすることがある。しかしながら、このような手段では、取手部の形状に大きな制約を受ける場合があった。
【先行技術文献】
【特許文献】
【０００３】
【特許文献１】特開２０１５−１０５７５７号公報
【発明の概要】
【発明が解決しようとする課題】
【０００４】
本発明が解決しようとする課題は、取手部の形状制約を低減しながら取手部の結露を抑制することができる冷蔵庫を提供することである。
【課題を解決するための手段】
【０００５】
実施形態の冷蔵庫は、小貯蔵室と、引出し容器と、吹出し口と、を備える。前記小貯蔵室は、庫内の貯蔵室の中の一部に区画形成されている。前記引出し容器は、前記小貯蔵室内に格納されている。前記吹出し口は、前記庫内に向けて冷気を吹き出すように構成されている。前記引出し容器は、取手部を備える。前記取手部は、凹所の少なくとも一部を画定する。前記引出し容器には、前記凹所と前記小貯蔵室とを連通させる通気孔が設けられており、前記吹出し口から吹き出された冷気の一部が前記通気孔を通り抜けるようになっている。
【図面の簡単な説明】
【０００６】
【図１】実施形態に係る冷蔵庫の概略構成を示す縦断面図。
【図２】実施形態に係る冷蔵庫の小貯蔵室周辺の概略構成を示す縦断面図。
【図３】実施形態に係る冷蔵庫の引出し容器の概略構成を示す斜視図。
【図４】実施形態における引出し容器の取手部周辺の概略構成を示す縦断面図。
【図５】変形例の引出し容器の概略構成を示す斜視図。
【図６】変形例の引出し容器の概略構成を示す斜視図。
【発明を実施するための形態】
【０００７】
以下、実施形態の冷蔵庫を、図面を参照して説明する。
なお、説明の便宜上、冷蔵庫の正面側、すなわち扉側の方向を「前」とし、冷蔵庫の背面側、すなわち扉側の反対側を「後」とする場合がある。また、冷蔵庫の左右方向、すなわち、鉛直方向および前後方向の両方に概ね直交する方向を「幅方向」とする場合がある。
【０００８】
以下、実施形態について、図１から図４を参照しながら説明する。
図１に示すように、冷蔵庫１は、本体２と、本体２の前面側に取り付けられた扉３，４とを備えている。本体２は、食品等の物品を貯蔵するのに用いられる貯蔵室を有している。具体的に説明すると、本体２は、その下部側に冷蔵室２０を有し、その上部側に冷凍室２１を有している。冷蔵室２０は、前面側が開口しており、その開口が扉３によって開閉される。冷凍室２１も、前面側が開口しており、その開口が扉４によって開閉される。
【０００９】
本体２の下部の背面側には、機械室２２が設けられており、機械室２２内には、圧縮機５が設置されている。本体２の上部の背面側には、冷却室２３が設けられており、冷却室２３内には、蒸発器６及びファン７が設置されている。本体２の内側面には、庫内に向けて冷気を吹き出すように構成された複数の吹出し口８が設けられている。本体２の背面側の内部には、冷却室２３で冷却された冷気を吹出し口８へと流通させるように構成された冷気ダクト９が設けられている。本体２は、冷蔵室２０と冷凍室２１との間を仕切る断熱仕切り２４を備えている。断熱仕切り２４の冷蔵室２０側（下面側）には、冷蔵室２０内の冷気を吸い込むように構成された吸込み口１０が設けられている。また、断熱仕切り２４の内部には、吸込み口１０から吸い込まれた冷気を冷却室２３へと流通させるように構成されたリターンダクト１１が設けられている。
【００１０】
上記構成の冷蔵庫１では、圧縮機５及び蒸発器６を含む冷凍サイクルによって冷気が生成され、この冷気は、冷却室２３から冷気ダクト９、吹出し口８、冷蔵室２０、吸込み口１０、及びリターンダクト１１を順次に経由して冷却室２３に戻されて循環する。より詳細には、圧縮機５が駆動することによって蒸発器６にて冷気が生成され、ファン７が駆動することによって、その冷気が冷気ダクト９を通って吹出し口８から冷蔵室２０内に供給される。冷蔵室２０内に供給された冷気は、冷蔵室２０の中を流れて吸込み口１０から吸い込まれ、リターンダクト１１を通って冷却室２３に到達し、再び蒸発器６によって冷却される。このように、冷蔵庫１では、蒸発器６で生成した冷気を循環させることにより冷蔵室２０を冷却している。
【００１１】
冷蔵庫１は、冷蔵室２０の中の一部に区画形成された小貯蔵室を備えている。具体的に説明すると、冷蔵室２０内の小貯蔵室としては、冷蔵室２０の上部に配設されたチルド室２５と、冷蔵室２０の下部に配設された野菜室２６と、が挙げられる。チルド室２５の内側には、前後方向にスライド可能な引出し容器１２が格納されており、また、チルド室２５の前方部分には、引出し容器１２のスライド動作に伴い開閉するように構成された開閉蓋１５が設置されている。野菜室２６の内側には、前後方向にスライド可能な引出し容器１３が格納されており、また、野菜室２６の上端部分には、野菜室２６の天井面を画定する仕切板１７が設置されている。
【００１２】
図２及び図３に示すように、チルド室２５の引出し容器１２は、底壁部１２ａと、前壁部１２ｂと、後壁部１２ｃと、側壁部１２ｄと、前壁部１２ｂに付設された取手部１２ｅとを備える。底壁部１２ａは、チルド室２５の底面を画定する平板状の部分であり、チルド室２５における下方部分に概ね水平に配置されている。前壁部１２ｂは、チルド室２５の前方側の壁面の下方部分を画定する平板状の部分であり、底壁部１２ａの前端部から上向きに立設されてチルド室２５における前方部分に配置されている。前壁部１２ｂは、その下端から上方に向かって前方に傾斜しており、底壁部１２ａの上面と前壁部１２ｂの後面とが鈍角を成すように構成されている。後壁部１２ｃは、チルド室２５の後方側の壁面の下方部分を画定する平板状の部分であり、底壁部１２ａの後端部から上向きに立設されてチルド室２５における後方部分に配置されている。後壁部１２ｃの上端縁は、幅方向中央部分が凹状に切り欠かれた形状になっており、後壁部１２ｃの幅方向中央部分は、後壁部１２ｃの幅方向両側部分よりも高さが低くなっている。側壁部１２ｄは、チルド室２５の左右の壁面の下方部分を画定する平板状の部分であり、底壁部１２ａの幅方向両側の側端部から上向きに立設されてチルド室２５における幅方向の両側部分にそれぞれ配置されている。側壁部１２ｄの上端縁は、前方側部分が上方に膨出した形状になっており、側壁部１２ｄの前方側部分は、側壁部１２ｄの前後方向中央部分や後方側部分よりも高さが高くなっている。
【００１３】
両側の側壁部１２ｄのそれぞれの外面には、引出し容器１２を支持しながら前後方向にスライドできるようにするための案内部１２ｊが突設されている。引出し容器１２は、案内部１２ｊを、前後方向に延在するレール部１４に係止させるようにして、前後方向にスライド可能に支持されている。レール部１４は、チルド室２５内における本体２の幅方向両側の内壁面にそれぞれ突設された上下２本の凸条部１４ａ，１４ｂからなり、これら２本の凸条部１４ａ，１４ｂの間を案内部１２ｊがスライドできるように構成されている。
【００１４】
図３及び図４に示すように、取手部１２ｅは、使用者が引出し容器１２を引き出す際に使用者の手を掛けることができるように構成された部分であり、引出し容器１２の幅方向の略全体に亘って延在している。取手部１２ｅは、前壁部１２ｂの上端から前方側へ向かって延在する上壁部１２ｆと、上壁部１２ｆの前端から垂下された垂下壁部１２ｇと、を備える。上壁部１２ｆは、概ね水平に配置された平板状の部分であり、前壁部１２ｂの上端に沿って幅方向に延在している。上壁部１２ｆの前端の前後方向位置は、開閉蓋１５の外面（すなわち、前方側の表面）の前後方向位置よりも後方側である。尚、上壁部１２ｆの前端の前後方向位置が開閉蓋１５の外面の前後方向位置と一致する構成にすることも可能である。垂下壁部１２ｇは、前壁部１２ｂの前方側に配置された平板状の部分であり、上壁部１２ｆの前端に沿って幅方向に延在している。垂下壁部１２ｇは、その上端から下方に向かって前方に多少傾斜している。尚、垂下壁部１２ｇが、鉛直方向に沿って延在する構成にすることも可能である。垂下壁部１２ｇの下端の前後方向位置は、開閉蓋１５の外面の前後方向位置と一致している。尚、垂下壁部１２ｇの下端の前後方向位置を開閉蓋１５の外面の前後方向位置よりも前方側にした構成にすることも可能である。垂下壁部１２ｇの下端の鉛直方向位置は、引出し容器１２の底壁部１２ａの下面の鉛直方向位置と一致している。尚、垂下壁部１２ｇの下端の鉛直方向位置を底壁部１２ａの下面の鉛直方向位置よりも下方にした構成にすることも可能である。
【００１５】
引出し容器１２の前壁部１２ｂ及び取手部１２ｅは、使用者が取手部１２ｅに手を掛けるときに使用者の指が入れられるように構成された凹所１２ｈを画定している。凹所１２ｈは、前壁部１２ｂと上壁部１２ｆと垂下壁部１２ｇとによって囲まれ、下方側が開口されている。凹所１２ｈは、縦断面形状が台形の溝状の部分であり、引出し容器１２の幅方向の略全体に亘って延在している。
【００１６】
引出し容器１２の前壁部１２ｂには、凹所１２ｈとチルド室２５とを連通させる通気孔１２ｉが設けられている。通気孔１２ｉは、冷蔵室２０内の冷気の一部が通り抜けることができるように構成されている。具体的に説明すると、通気孔１２ｉは、前壁部１２ｂを貫通する略円形の貫通孔であり、冷気が通過するのに十分な寸法（径）を有している。その一方で、通気孔１２ｉは、ヒトの手の指先よりも小さい横寸法（径）になっており、ヒトの手の爪が引っ掛かりにくいように構成されている。通気孔１２ｉの縦寸法（径）は、前壁部１２ｂの高さ（すなわち、凹所１２ｈの深さ）の半分以下である。通気孔１２ｉの中心の鉛直方向位置は、少なくとも垂下壁部１２ｇの下端の鉛直方向位置よりも上方であり、すなわち、通気孔１２ｉは垂下壁部１２ｇに対向する位置にある。また、通気孔１２ｉは、前壁部１２ｂの高さの真ん中よりも上方の位置に配設されている。さらに、通気孔１２ｉは、チルド室２５から通気孔１２ｉを通過して凹所１２ｈに流入した冷気の少なくとも一部が凹所１２ｈのなかで天井面（すなわち、上壁部１２ｆの下面）側の領域に流れるように構成されている。「凹所１２ｈのなかで天井面側の領域」は、例えば、凹所１２ｈの鉛直方向の中心位置よりも上側に位置する領域を含む。本実施形態では、通気孔１２ｉは、チルド室２５から通気孔１２ｉを通過して凹所１２ｈに流入した冷気の少なくとも一部が凹所１２ｈの天井面近傍を流れるように構成されている。特に、通気孔１２ｉは、凹所１２ｈの天井面と隣接する位置に配設されており、通気孔１２ｉの内周面の上側部分は、凹所１２ｈの天井面と連続しており、面一となっている。通気孔１２ｉのチルド室２５側の開口面の前後方向位置は、開閉蓋１５の内側面（より具体的には、開閉蓋１５の下側フランジ１５ｃの後方側の縁部）の前後方向位置よりも後方側である。尚、通気孔１２ｉのチルド室２５側の開口面の前後方向位置が開閉蓋１５の内側面の前後方向位置と一致する構成にすることも可能である。通気孔１２ｉのチルド室２５側の開口面の前後方向位置が開閉蓋１５の内側面の前後方向位置よりも後方側であるとき、両者の差Δは、開閉蓋１５の厚さｄ以下であり、且つ、通気孔１２ｉの寸法（径）以下である。尚、差Δは、開閉蓋１５の厚さｄ以下であり、且つ、通気孔１２ｉの寸法（径）よりも大きくてもよい。あるいは、差Δは、開閉蓋１５の厚さｄよりも大きく、且つ、通気孔１２ｉの寸法（径）以下であってもよい。
【００１７】
図３に示すように、前壁部１２ｂには、上記した通気孔１２ｉが複数設けられている。複数の通気孔１２ｉは、引出し容器１２の幅方向に一列に並設されている。複数の通気孔１２ｉは、概ね等間隔に配置されており、前壁部１２ｂの幅方向の略全体に亘って均一に分布している。複数の通気孔１２ｉの間隔は、少なくとも通気孔１２ｉの寸法（径）よりも大きく、好ましくは通気孔１２ｉの寸法（径）の２倍よりも大きく、より好ましくは通気孔１２ｉの寸法（径）の３倍よりも大きい。また、複数の通気孔１２ｉの間隔は、少なくとも通気孔１２ｉの寸法（径）の１０倍よりも小さく、好ましくは通気孔１２ｉの寸法（径）の８倍よりも小さく、より好ましくは通気孔１２ｉの寸法（径）の５倍よりも小さい。
【００１８】
図２に示すように、開閉蓋１５は、鉛直方向に概ね沿って配置されていると共に、幅方向に延在する枢軸回りに揺動可能に構成されている。具体的に説明すると、開閉蓋１５の幅方向両側の側壁部の上部には、本体２の幅方向両側の内壁面に固定された枢軸部１５ａがそれぞれ設けられており、開閉蓋１５は、これらの枢軸部１５ａによって揺動可能に支持されている。開閉蓋１５の幅方向両側の側壁部には、後方側に突出した係合部１５ｂがそれぞれ設けられおり、これらの係合部１５ｂはそれぞれ、対応する引出し容器１２の側壁部１２ｄの前方側の縁部に係合されるように構成されている。開閉蓋１５は、引出し容器１２が前方側にスライドして引き出されると同時に引出し容器１２の側壁部１２ｄが係合部１５ｂを押すことによって、前方側に揺動して開けることができるように構成されている。開閉蓋１５が閉じられた状態において、開閉蓋１５の周囲には、冷気が通り抜けることができる隙間が形成されている。
【００１９】
ところで、吹出し口８は、チルド室２５内に向けて冷気を吹き出すように構成された第１の吹出し口８Ａと、チルド室２５の下方の冷蔵室２０の空間内に向けて冷気を吹き出すように構成された第２の吹出し口８Ｂとを含んでいる。第１の吹出し口８Ａは、チルド室２５の後方側の内側面に設置されている。第１の吹出し口８Ａの中心の鉛直方向位置は、引出し容器１２の後壁部１２ｃ上縁部の鉛直方向位置よりも上方である。尚、第１の吹出し口８Ａの中心の鉛直方向位置が引出し容器１２の後壁部１２ｃ上縁部の鉛直方向位置と一致する構成にすることも可能である。また、第１の吹出し口８Ａの幅方向位置は、引出し容器１２の後壁部１２ｃのうちの上縁部が凹形状に切り欠かれた部分（幅方向中央部分）に対応している。第２の吹出し口８Ｂは、チルド室２５の下方の冷蔵室２０の空間内における本体２の後方側の内側面に設置されている。また、吸込み口１０は、冷蔵室２０の内側の上方部分に設置されている。この吸込み口１０は、チルド室２５の外に位置しており、具体的には、チルド室２５の前方側の天井面に配置されている。
【００２０】
上述した吹出し口８と吸込み口１０との配置構成により、冷蔵庫１内では、第２の吹出し口８Ｂから吹き出された冷気が吸込み口１０に吸い込まれることで冷気の主流Ｆ１が形成され、且つ、第１の吹出し口８Ａから吹き出された冷気の一部が、通気孔１２ｉから凹所１２ｈを通って上記した冷気の主流Ｆ１に吸い込まれて合流する。より詳しく説明すると、冷気の主流Ｆ１は、第２の吹出し口８Ｂからチルド室２５の下方の空間を前方側に向かって流れ、その後、吸込み口１０側（すなわち、上方側）に向かって流れてチルド室２５の前方を通って吸込み口１０に吸い込まれる。一方、チルド室２５の冷気は、チルド室２５内で周回するように流れて周流Ｆ２が形成される。すなわち、チルド室２５では、冷気は、第１の吹出し口８Ａから前方側に向かって流れ、チルド室２５の前方部分で旋回して後方側に流れ、チルド室２５の後方部分で旋回して前方側に流れる。ただし、図４に示すように、チルド室２５の冷気の一部（漏洩冷気Ｆ３）は、引出し容器１２の前壁部１２ｂに設けられた通気孔１２ｉから漏洩し、凹所１２ｈを通り抜けて、上述した冷気の主流Ｆ１に吸い込まれて合流する。
【００２１】
また、図１及び図２に示すように、冷蔵庫１には、冷蔵室２０内に設置された棚板１６を備えている。棚板１６は、チルド室２５の下方に、すなわちチルド室２５と野菜室２６との間の空間内に配置されており、棚板１６の縁部を冷蔵室２０内における本体２の幅方向両側の内壁面に形成された溝部や段差部に係止させるようにして脱着可能に支持されている。図２に示すように、棚板１６の前端の前後方向位置は、上述した引出し容器１２の前壁部１２ｂの通気孔１２ｉの前後方向位置（さらに言えば、通気孔１２ｉの前端の前後方向位置）よりも前方側である。さらに、棚板１６の前端の前後方向位置は、引出し容器１２の取手部１２ｅの前面（すなわち、垂下壁部１２ｇの前方側の表面）の前後方向位置よりも後方側である。さらに言えば、棚板１６の前端の前後方向位置は、引出し容器１２の凹所１２ｈの前面を規定する垂下壁部１２ｇの後方側の表面の前後方向位置よりも後方側である。なお、図１では、複数（２枚）の棚板１６が鉛直方向に並べられて複数段の棚が形成されているが、チルド室２５と野菜室２６との間の空間内に棚板１６が１枚だけ配置されてもよく、あるいは、チルド室２５と野菜室２６との間の空間内に棚板が無くてもよい。
【００２２】
上述した実施形態の構成によれば、チルド室２５の冷気の一部が通気孔１２ｉから漏洩して凹所１２ｈを通り抜けるため、取手部１２ｅの勾配角度を調整したり高さや奥行きを調整したりすることなく、取手部１２ｅ内側の結露を抑制することができる。詳しく説明すると、開閉蓋１５の下側フランジ１５ｃと引出し容器１２の取手部１２ｅの頂面（すなわち、上壁部１２ｆの上面）との間から、チルド室２５の微凍結温度帯（約０〜−３℃）の冷気が微漏洩する。仮に、引出し容器１２の前壁部１２ｂに通気孔１２ｉが設けられていない構成であると、凹所１２ｈには冷蔵温度帯（約２〜４℃）の冷気が滞留することになるため、上壁部１２ｆの上下に温度差が生じ、上壁部１２ｆの下面（すなわち、凹所１２ｈの天井面）に結露が生じやすい。これに対し、上述した実施形態では、引出し容器１２の前壁部１２ｂに通気孔１２ｉが設けられているため、チルド室２５の冷気の一部が通気孔１２ｉから凹所１２ｈに流入して凹所１２ｈを通り抜ける。これにより、上壁部１２ｆの上下の温度差が減少すると共に、乾いた冷気が結露発生箇所（凹所１２ｈの天井面）を通過することになり、結露が抑制される。
【００２３】
特に、上記実施形態では、通気孔１２ｉが凹所１２ｈの天井面と隣接する位置に配設されていることによって、乾いた冷気が結露発生箇所である凹所１２ｈの天井面を通過しやすくなり、結露抑制の効果を向上させることができる。同様に、通気孔１２ｉが、凹所１２ｈの天井面側の領域に冷気の少なくとも一部が流れるように構成されていることによって、結露抑制の効果を向上させることができる。
【００２４】
また、上記実施形態では、複数の通気孔１２ｉが幅方向に並設されていることによって、取手部１２ｅにおける幅広い領域で結露が抑制され、結露抑制の効果を向上させることができる。
【００２５】
また、通気孔１２ｉから凹所１２ｈ内に入った微凍結温度帯の冷気が直ぐに凹所１２ｈの外へ抜け出ると、結露抑制の効果が低下することになるが、上記実施形態では、垂下壁部１２ｇの下端の鉛直方向位置が、底壁部１２ａの下面の鉛直方向位置と一致していることによって、通気孔１２ｉから凹所１２ｈ内に入った微凍結温度帯の冷気が直ぐに凹所１２ｈの外へ抜け出ることが抑制され、結露抑制の効果を十分に発揮することができる。
【００２６】
また、上記実施形態では、第１の吹出し口８Ａからチルド室２５に吹き出された冷気の一部が通気孔１２ｉから凹所１２ｈを通って、第２の吹出し口８Ｂから吹き出された冷気の主流に吸い込まれて合流するため、通気孔１２ｉからのチルド室２５の冷気漏洩が促進され、結露抑制の効果を十分に発揮することができる。また、上記実施形態では、通気孔１２ｉを有する前壁部１２ｂが、その下端から上方に向かって前方に傾斜しているため、引出し容器１２の底壁部１２ａに沿って流れているチルド室２５の冷気が通気孔１２ｉへと流れやすくなり、結露抑制の効果を十分に発揮することができる。
【００２７】
また、上記実施形態では、棚板１６の前端の前後方向位置が、通気孔１２ｉの前後方向位置よりも前方側であるため、通気孔１２ｉから何らかの液体が漏洩した場合に、それを棚板１６で受けることができる。
【００２８】
なお、上記実施形態では、複数の通気孔１２ｉが引出し容器１２の幅方向に亘って均一に分布しているが、複数の通気孔１２ｉは前壁部１２ｂの幅方向における特定の箇所（具体的には、使用者が手を掛ける頻度が高い箇所）に偏って分布させてもよい。例えば、図５に示すように、複数の通気孔１２ｉが前壁部１２ｂの幅方向の両側領域にだけ分布させ、前壁部１２ｂの幅方向の中央領域に通気孔１２ｉが無い構成であってもよい。この場合、複数の通気孔１２ｉが分布する両側領域の各々の幅は、前壁部１２ｂの全幅寸法の１／４、または１／３とすることができる。また、図６に示すように、複数の通気孔１２ｉが前壁部１２ｂの幅方向の中央領域にだけ分布させ、前壁部１２ｂの幅方向の両側領域に通気孔１２ｉが無い構成であってもよい。この場合、複数の通気孔１２ｉが分布する中央領域の幅は、前壁部１２ｂの全幅寸法の１／２、または１／３とすることができる。
【００２９】
また、上記実施形態では、通気孔１２ｉの形状が円形であるが、通気孔１２ｉの形状は縦方向に長い楕円形であってもよく、或いは横方向に長い楕円形であってもよく、矩形などの多角形であってもよく、その他の形状であってもよい。
【００３０】
また、上記実施形態では、冷蔵庫１は、チルド室２５の冷気の一部が通気孔１２ｉから漏洩して凹所１２ｈを通り抜ける構成になっているが、チルド室２５の外の冷蔵室２０の冷気の一部が、凹所１２ｈを通って通気孔１２ｉからチルド室２５に流入する構成であってもよい。
【００３１】
上記実施形態では、チルド室２５が冷蔵室２０の上部に配置されているが、チルド室２５は冷蔵室２０の下部に配置されていてもよい。また、上記実施形態では、チルド室２５の引出し容器１２の取手部１２ｅにおける結露を抑制するためにその引出し容器１２の前壁部１２ｂに通気孔１２ｉを設けているが、野菜室２６の引出し容器１３の取手部における結露を抑制するため、引出し容器１３に同様の通気孔を設けてもよい。
【００３２】
上記実施形態では、冷蔵室２０内に引出し容器１２が配置され、その引出し容器１２に通気孔１２ｉを設けているが、冷凍室２１内に引出し容器が配置され、その引出し容器に通気孔を設けてもよい。なお、上記実施形態では、冷蔵庫１は、冷蔵室２０と冷凍室２１とを有する冷凍冷蔵庫であるが、冷蔵室を有するが冷凍室を有さない冷蔵庫であってもよく、或いは、冷凍室を有するが冷蔵室を有さない冷凍庫であってもよい。
【００３３】
上記実施形態では、引出し容器１２の前壁部１２ｂと取手部１２ｅとが凹所１２ｈを画定しており、前壁部１２ｂに通気孔１２ｉが設けられているが、別部材の取手だけで凹所を画定する構成であってもよい。例えば、凹所が形成された別部材の取手を用意し、その取手を前壁部１２ｂに取り付け、その取手と前壁部１２ｂとにそれぞれ開口が設けられ、これらの開口が互いに連通することによって通気孔を形成する構成であってもよい。
【００３４】
上記実施形態では、取手部１２ｅは、凹所１２ｈが下方側に開口した構成になるような構成になっているが、取手部は、凹所が上方側に開口した構成になるような構成になっていてもよい。さらに、取手部１２ｅは、引出し容器１２の幅方向全体に亘って延在しているが、引出し容器１２の幅方向の一部分にだけ延在する取手部であってもよく、例えば、取手部が、引出し容器１２の幅方向の中央領域にだけ延在する構成であってもよい。
【００３５】
上記実施形態では、吹出し口８が本体２の後方側の内壁面に設置され、吸込み口１０が冷蔵室２０の天井面に設置されているが、吹出し口８が冷蔵室２０の天井面や底面、側面などに設置されていてもよく、また、吸込み口１０が冷蔵室２０の奥の後方側の内壁面や、側面、底面などに設置されていてもよい。
【００３６】
以上説明した少なくともひとつの実施形態によれば、凹所１２ｈとチルド室２５とを連通させる通気孔１２ｉを持つことにより、取手部１２ｅの形状制約を低減しながら取手部１２ｅの結露を抑制することができる。
【００３７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３８】
１…冷蔵庫、８…吹出し口、８Ａ…第１の吹出し口、８Ｂ…第２の吹出し口、１０…吸込み口、１２…引出し容器、１２ａ…底壁部、１２ｂ…前壁部、１２ｅ…取手部、１２ｇ…垂下壁部、１２ｈ…凹所、１２ｉ…通気孔、１６…棚板、２０…冷蔵室（貯蔵室）、２５…チルド室（小貯蔵室）
【図１】
2020034238.tif 000003
【図２】
2020034238.tif 000004
【図３】
2020034238.tif 000005
【図４】
2020034238.tif 000006
【図５】
2020034238.tif 000007
【図６】
2020034238.tif 000008